(57)【要約】      （修正有）【課題】傾斜角度と方向角度の調整により、各々の要望に応えられる平板状表示装置の保護蓋スタンドを提供する。【解決手段】平板状表示装置の保護蓋スタンドにおいて、支持部材には相対位置にある第一端部及び第二端部１２を備え、表示面調整体２は少なくとも一つの第一枢着部材２２を支持部材の第一端部に枢着する。尚且つ、結合部材２との間に相互に弾性をもって嵌合制御させるための嵌合制御定位部材２４を備え、結合部材３の内の一方側は平板状表示装置６に結合させ、支持部材の第二端部１２は連接体４を通して底盤５に枢着し、これにより平板状表示装置は底盤５を組み合わせての使用が可能となり、異なる角度の軸回転と傾斜による支持を行うことができる。【選択図】図１
0003176105.tif 000002
【実用新案登録請求の範囲】
【請求項１】
相対位置に第一端部及び第二端部を備える支持部材と、
少なくとも一つの第一枢着部材を支持部材の第一端部に枢着し、予め用意した平板状表示装置を取り付けるための結合部材を結合する表示面調整体と、
相対して軸回転する状態で、表示面調整体上の平板状表示装置を取り付ける方に向く一方側に結合する結合部材と、
第二枢着部材によって軸回転可能状態で支持部材の第二端部に枢着する連接体と、
第三枢着部材によって軸回転可能状態で支持部材から離れた方の連接体の一方側に枢着する底盤とを少なくとも含むことを特徴とする平板状表示装置の保護蓋スタンド。
【請求項２】
前記表示面調整体と結合部材間には弾性をもって嵌合制御し合う嵌合制御定位機能を設けることを特徴とする請求項１に記載の平板状表示装置の保護蓋スタンド。
【請求項３】
前記嵌合制御定位機能は、外側方向に弾力的に押圧する嵌合制御定位部材と、それに対して嵌合制御を受ける定位凹部により構成されることを特徴とする請求項２に記載の平板状表示装置の保護蓋スタンド。
【請求項４】
前記結合部材には平板状表示装置を取り付ける収納空間を設けることを特徴とする請求項１に記載の平板状表示装置の保護蓋スタンド。
【請求項５】
前記結合部材には固定体を備え、尚且つ収納空間を固定体上に設置することを特徴とする請求項１乃至４のいずれか一項に記載の平板状表示装置の保護蓋スタンド。
【請求項６】
前記表示面調整体には収納部を設け、尚且つ結合部材には収納部に対応するくり抜き部を設けることを特徴とする請求項１乃至５のいずれか一項に記載の平板状表示装置の保護蓋スタンド。
【請求項７】
前記結合部材には別に挟持制御部材を備え、くり抜き部は固定体上に設置し、該固定体は挟持制御部材を通して表示面調整体上に結合し固定させることを特徴とする請求項６に記載の平板状表示装置の保護蓋スタンド。
【請求項８】
前記結合部材には別に結合体を備え、くり抜き部係を結合体上に設置し、結合体は挟持制御部材を通して表示面調整体上に結合し固定させ、また、固定体は取外し可能状態で結合体上に結合することを特徴とする請求項６または７に記載の平板状表示装置の保護蓋スタンド。
【請求項９】
前記結合体の周囲縁の両側にはそれぞれ、少なくとも一つの第一定位部と少なくとも一つの第二定位部を設け、固定体上には第一定位部と第二定位部に対応する第一被定位部と第二被定位部を相対位置に設置することを特徴とする請求項８に記載の平板状表示装置の保護蓋スタンド。
【請求項１０】
前記第一定位部と第二定位部はそれぞれ被嵌引掛体と嵌合引掛体であり、また、第一被定位部と第二被定位部はそれぞれ定位ガイド溝と嵌合制御溝であることを特徴とする請求項９に記載の平板状表示装置の保護蓋スタンド。
【請求項１１】
前記収納部の周囲縁には少なくとも一つのガイド路を設け、尚且つ嵌合制御定位部材はガイド路に沿って移動することを特徴とする請求項６乃至１０のいずれか一項に記載の平板状表示装置の保護蓋スタンド。
【請求項１２】
前記収納部の底面には収納部の背面側に貫通する少なくとも一つの貫通孔を設け、尚且つ第一枢着部材は収納部内に設置し、該第一枢着部材には別に軸回転定位機能を備える枢着端部を設置し、該枢着端部はそれぞれ貫通孔を通りさらに支持部材の第一端部に結合することを特徴とする請求項６乃至１１のいずれか一項に記載の平板状表示装置の保護蓋スタンド。
【請求項１３】
前記貫通孔とガイド路間にはそれぞれ定位部を設け、該定位部は弾性部品の一端を固定するのに用い、該弾性部品の他の一端で嵌合制御定位部材を押圧することを特徴とする請求項１２に記載の平板状表示装置の保護蓋スタンド。
【請求項１４】
前記連接体には支持部材の第二端部を納める枢着凹部を設け、尚且つ第二端部の外側周囲には軸回転過程において枢着凹部の底面に接触して圧する突出押圧部を設けることを特徴とする請求項１乃至１３のいずれか一項に記載の平板状表示装置の保護蓋スタンド。
【請求項１５】
前記底盤には別に複数のキーを結合してキーボード構造を形成することを特徴とする請求項１乃至１４のいずれか一項に記載の平板状表示装置の保護蓋スタンド。
【考案の詳細な説明】
【技術分野】
【０００１】
本考案は、特にキーボードを結合し、電子機器のモニターを異なる傾斜角度と方向角度に調整することにより、各々の要望に応えることができる平板状表示装置の保護蓋スタンドに関する。
【背景技術】
【０００２】
公知技術に見られるタブレットパソコンに応用したスタンド或いは保護カバー構造は、例えば特許文献１の中華民国特許公告第M411501号「タブレットパソコンスタンド構造の改良」の実用新案に開示したとおりであるが、そのスタンドは主に、固定板体、及び固定板体に枢着した支持架体により構成される。該固定板体は、前蓋と後蓋を結合したもので、その内、後蓋は前蓋方向に延伸する複数個の定位部材を備え、後蓋には別に、複数個の挟持板を結合する。各挟持板には定位部材に向き合いスライドするガイド溝を形成し、ガイド溝と定位部材が互いに牽引制御し合うことにより挟持板の位置を限定する効果を生じさせる。また、ガイド溝箇所に、挟持板にタブレットパソコンを挟み込み圧して接触させるための伸縮部材を設置することにより、各挟持板は伸縮部材を用いて各種サイズの異なるタブレットパソコンの挟み込み範囲を変化させ、効果的な挟持及び固定効果を果たすことができる。しかし、この種の構造は、タブレットパソコンを挟持し尚且つ表示角度を固定し支える効果をなすが、応用上には変化性に欠け、多様性を備えた使用上の要望を満足させることはできない。
【０００３】
また、特許文献２の中華民国特許公告第M414799号「タブレットパソコンのケーススタンド構造」の実用新案は、主に、葉を重ねた形状のケース蓋を備えたケース体を含み、該ケース体はブルートゥースワイヤレスキーボードを嵌入し結合する収納スリットであり、該ケース蓋内には挟層を備え、挟層の基礎軸をスタンド板に枢着し、該スタンド板の後軸を支持足部に枢着する。ケース蓋を開いて平たく置いた時、該支持足部はスタンド板を支え一定傾斜角度をなして突伸し、タブレットパソコンの配置を可能にする。これにより、配置台設計のないタブレットパソコンを机の上に立てて使用でき、一般に使用されている実体キーボードを組み合わせると習慣となっている操作形態が実現する。前記構造は、タブレットパソコンに異なる固定傾斜角度を生じさせる支持構造となるが、キーボードを操作し易い傾斜角度にすることが難しく、尚且つタブレットパソコンに横方向の表示効果を生じさせるよう調整することが難しいため、使用上には依然として制限がある。
【０００４】
特許文献３の中華民国公告第M414855号「タブレットパソコンの保護カバー」の実用新案は、主に、上蓋と底体を含む。上蓋と底体間には第二屈曲部を形成し、上蓋と底体を向き合わせて折り畳むことを可能にする。底体の中間位置に近い箇所には別の第一屈曲部を形成し、これにより底体を一定角度に折り曲げることができる。上蓋中には複数の間隔をあけた磁石を設け、前述の構造設計により、タブレットパソコンを底体上に固定することができる。タブレットパソコンは、それ自体にあり尚且つ周辺に隠蔽された鉄心と上蓋の磁石が吸着し合い、加えて、第一湾曲部と第二湾曲部を折り曲げられる特性により、タブレットパソコンを異なる位置の磁石に吸着させることができる。これにより、タブレットパソコンは多種の角度調整が可能となり、同時にタブレットパソコンを保護して表面に疵がつくのを防ぐことができる。前記構造は基本的に、タブレットパソコンを支えて固定するための異なる傾斜角度を生じさせるが、キーボードとの結合は不可能であり、保護カバーを変化させた応用となる。
【０００５】
公知タブレットパソコンのスタンド或いは保護カバーの応用時にみられる前記欠点に鑑み、本考案者は研究と改善を重ね、ついに本考案が生み出された。
【先行技術文献】
【特許文献】
【０００６】
【特許文献１】中華民国特許公告第M411501号明細書
【特許文献２】中華民国特許公告第M414799号明細書
【特許文献３】中華民国特許公告第M414855号明細書
【考案の概要】
【考案が解決しようとする課題】
【０００７】
本考案の主な目的は、見える位置に対する各々の要望に応えるために、平板状表示装置を異なる角度で枢着回転させて定位させ、さらに応用の変化性を高める平板状表示装置の保護蓋スタンドを提供することにある。
【０００８】
本考案の次の目的は、外部の底盤に連結し、該底盤はキーボード機能を結合する他、人体工学に符合する傾斜角度及び支持を生じさせて、平板状表示装置の使用上の利便性を向上させる平板状表示装置の保護蓋スタンドを提供することにある。
【０００９】
本考案の三つ目の目的は、収納する時に、平板状表示装置と底盤を重ね合わせることができ、携帯に便利な小さな収納体積をなし、尚且つ好ましい保護効果を備える平板状表示装置の保護蓋スタンドを提供することにある。
【課題を解決するための手段】
【００１０】
上述の目的と効果を達成するために、本考案の採用する技術手段は、支持部材と表示面調整体と結合部材と連接体と底盤とを備える。
前記支持部材は、相対位置に第一端部及び第二端部を備える。
前記表示面調整体は、少なくとも一つの第一枢着部材を支持部材の第一端部に枢着し、表示面調整体には開口を備えた収納部を設け、該収納部には予め設けた弾性部品が外側方向に弾力的に押圧する力を受ける少なくとも一つの嵌合制御定位部材を内設する。
前記結合部材は、相対して軸回転する状態で表示面調整体の収納部を備えた一方側に結合して固定し、該結合部材は、収納部に対応するくり抜き部を備え、尚且つ該くり抜き部内側周囲には嵌合制御定位部材を弾性をもって嵌入させる複数の定位凹部を設けて、表示面調整体及び結合部材間に嵌合制御定位させる機能を形成し、また、結合部材上には平板状表示装置を収納するための収納空間を設ける。
前記連接体は、第二枢着部材によって軸回転し定位可能な状態で支持部材の第二端部に枢着する。
前記底盤は、第三枢着部材によって軸回転し定位可能な状態で支持部材から離れた方の連接体側に枢着する。
【００１１】
前記構造において、その内、該結合部材は固定体を備え、尚且つ収納空間を固定体上に設置する。
【００１２】
前記構造において、その内、該結合部材は別に挟持制御部材を備え、尚且つくり抜き部を固定体上に設置し、該固定体は挟持制御部材を通して表示面調整体上に結合し固定させる。
【００１３】
前記構造において、その内、該結合部材は別に結合体を備え、尚且つくり抜き部を結合体上に設置し、該結合体は挟持制御部材を通して表示面調整体上に結合し固定させ、また、固定体は取外し可能状態で結合体上に結合する。
【００１４】
前記構造において、その内、結合体の周囲縁の両側にはそれぞれ、少なくとも一つの第一定位部と少なくとも一つの第二定位部を設け、尚且つ固定体上には第一定位部と第二定位部に対応する第一被定位部と第二被定位部を相対位置に設置する。
【００１５】
前記構造において、その内、第一定位部と第二定位部はそれぞれ被嵌引掛体と嵌合引掛体であり、また、第一被定位部と第二被定位部はそれぞれ定位ガイド溝と嵌合制御溝である。
【００１６】
前記構造において、その内、連接体には支持部材の第二端部を納める枢着凹部を設け、尚且つ第二端部の外側周囲には軸回転過程において枢着凹部底面に接触して圧する突出押圧部を設ける。
【００１７】
前記構造において、その内、収納部の周囲縁には少なくとも一つのガイド路を設け、尚且つ嵌合制御定位部材はガイド路に沿って移動する。
【００１８】
前記構造において、その内、貫通孔とガイド路間にはそれぞれ定位部を設け、該定位部は弾性部品の一端を固定するのに用い、該弾性部品の他の一端で嵌合制御定位部材を押圧する。
【００１９】
前記構造において、その内、収納部の底面には収納部の背面側に貫通する少なくとも一つの貫通孔を設け、尚且つ第一枢着部材は収納部内に設置し、該第一枢着部材には別に軸回転定位機能を備える枢着端部を設置し、該枢着端部はそれぞれ貫通孔に通して、さらに支持部材の第一端部に結合させる。
【００２０】
前記構造において、その内、底盤には別に複数のキーを結合してキーボード構造を形成する。
【考案の効果】
【００２１】
本考案の平板状表示装置の保護蓋スタンドは、見える位置に対する各々の要望に応えられ、応用の変化性を高め、使用及び携帯における利便性を向上させ、好ましい保護効果を備える。
【図面の簡単な説明】
【００２２】
【図１】本考案第一実施例の一部構造組立図である。
【図２】本考案第一実施例の角度調整体及び結合部材の構造分解図である。
【図３】本考案第一実施例の底盤、連接体、及び支持部材の構造分解図である。
【図４】本考案第一実施例の角度調整体の内部構造組立図である。
【図５】本考案第一実施例の予め設けた定位凹部に嵌入する嵌合制御定位部材のスタート位置を示した図である。
【図６】図５の平板状表示装置の使用状態図である。
【図７】本考案第一実施例の結合部材を軸回転させた時、嵌合制御定位部材が図５に示した定位凹部を離脱し移動した状態を示す図である。
【図８】図６の平板状表示装置を９０度軸回転させた時の使用状態図である。
【図９】本考案第一実施例において平板状表示装置を直立支持した時の使用状態図である。
【図１０】本考案第一実施例において連接体と底盤間に湾曲角度を備えさせた使用状態図である。
【図１１】本考案第一実施例において固定体と底盤を重ね合わせ、平板状表示装置のモニターを外に向けて露出させた使用状態図である。
【図１２】本考案第二実施例の構造分解図である。
【図１３】本考案第二実施例の一部構造組立図である。
【図１４】本考案第二実施例の固定体と結合体の取外し動作図である。
【図１５】本考案第二実施例の固定体と結合体の組立状態断面図である。
【考案を実施するための形態】
【００２３】
上述した本考案の目的、効果、及び特徴についての具体的な理解をしていただくために、次に図面を参照とした説明を行う。
【実施例】
【００２４】
図１乃至図４に示すとおり、本考案の第一実施例の構造は主に、支持部材１、表示面調整体２、結合部材３、連接体４、及び底盤５を含む。その内、支持部材１には相対位置にある第一端部１１と第二端部１２を備え、第一端部１１と第二端部１２の外側横にはそれぞれ軸孔１１１と軸孔１２１を備え、尚且つ第二端部１２の外周には突出押圧部１２２を設ける。
【００２５】
表示面調整体２の中央には開口を備えた収納部２１を設け、該収納部２１底面には、横向きに延伸し尚且つ収納部２１の背面側を貫通する貫通孔２１１と、各貫通孔２１１の外側横に設ける二つのガイド路２１２とを備え、二つの貫通孔２１１とガイド路２１２間にはそれぞれ定位部２１３を設け、二つの第一枢着部材２２をそれぞれ各貫通孔２１１の傍らに設け、各第一枢着部材２２にはそれぞれ軸回転定位機能を備えた枢着端部２２１を設け、二つの枢着端部２２１はそれぞれ貫通孔２１１を通りさらに支持部材１の軸孔１１１に結合し、よって、表示面調整体２は支持部材１の第一端部１１を軸心として軸回転し傾斜し、並びに必要な角度に固定される。また、二つの弾性部品２３（螺旋ばねとしてもよい）は、その一端をそれぞれ定位部２１３に固定し、他の一端をそれぞれガイド路２１２内に延伸させる。これにより、二つの嵌合制御定位部材２４（ローラーとしてもよい）を押圧し、ガイド路２１２に沿って外方向の弾性可動状態を維持する。
【００２６】
結合部材３は固定体３１と挟持制御部材３２により構成される。固定体３１の一方側には平板状表示装置６（タブレットパソコンや携帯電話等）を納める収納空間３１１を設け、該収納空間３１１の周囲縁には平板状表示装置６を定位させるための挟持制御部３１３を突設し、固定体３１（収納空間３１１）の中央には収納部２１に対応するくり抜き部３１２を設け、該くり抜き部３１２の内側周囲には、間隔をあけて予め設定する回転角度を備えた複数の定位凹部３１４を設置し、各定位凹部３１４は嵌合制御定位部材２４を嵌入させるもので（図４参照）、互いに弾性をもって定位する嵌合制御定位機能を形成する。挟持制御部材３２はくり抜き部３１２を超える面積を有し、固定体３１の表示面調整体２から離れた一方側に結合し、尚且つくり抜き部３１２に被嵌する。これによって、第一枢着部材２２、弾性部品２３、嵌合制御定位部材２４を制限して外方向に弛んで抜け落ちるのを防ぐとともに、固定体３１を表示面調整体２上に結合することにより、固定体３１に表示面調整体２に相対する軸回転運動を起こさせる。
【００２７】
連接体４には支持部材１の第二端部１２を納める枢着凹部４２を設け、枢着凹部４２内の二つの向き合う側にそれぞれ軸回転定位機能を備えた第二枢着部材４１を突設し、二つの第二枢着部材４１をそれぞれ支持部材１の軸孔１２１内に結合し、これにより、支持部材１は連接体４に相対して軸回転し、並びに必要角度に定位させることができる。それと同時に、突出押圧部１２２が枢着凹部４２の底面を押圧することにより、連接体４に対する支持部材１の軸回転角度を制限することができる。
【００２８】
底盤５は軸回転定位機能を備えた複数の第三枢着部材５１を用いて連接体４の支持部材１から離れた側に枢着する。これにより、該底盤５を実際に使用する場合は、要望に応じて一般に物体を支えて置くことのできる盤体構造を形成し、複数のキー５２を結合してキーボード構造を形成することもできる。
【００２９】
図５乃至図１１に示すとおり、本考案の前記第一実施例を実際に使用する場合は、表示面調整体２の嵌合制御定位部材２４を固定体３１のくり抜き部３１２上に予め設けた定位凹部３１４内（図５参照）に嵌入し、それをスタート位置として設定すると、この時の固定体３１と平板状表示装置６は横置き状態（図６参照）となる。外力によって固定体３１（或いは平板状表示装置６）を回転させる時、嵌合制御定位部材２４は弾性部品２３を押して圧縮させ、スタート位置の定位凹部３１４から離脱し（図７参照）、嵌合制御定位部材２４はくり抜き部３１２の内周縁に沿って外力が消失するまで移動し、別の定位凹部３１４内に嵌入する。この時、固定体３１と平板状表示装置６は、各々の使用方法及び要望に応えるために、横方向設置ではない角度に方向転換される（図８には９０度回転状態を示す）。
【００３０】
使用せずに収納する場合は、支持部材１を軸回転して平板状表示装置６のモニター側を底盤５に近づけ、二者を重ね合わせて小さな空間に納められるようにし、収納や携帯に利便を図るとともに、平板状表示装置６のモニターに適当な保護を与えることができる。
【００３１】
平板状表示装置６を通常の状態で使用したい場合は、支持部材１を逆方向に軸回転させ、使用者がモニターを見るのに都合のよいように、平板状表示装置６を直立或いは適当な角度に傾斜させる。この時、底盤５と連接体４の間には異なる形状変化が形成される。例えば単独で底盤５を予め設置した平面（机の上等）に接触させ、連接体４、支持部材１をそれぞれ折り曲げることにより（図９参照）、平板状表示装置６はモニターを見たり操作するのに都合のよい支持角度となる。または連接体４と底盤５を一定角度に折り曲げると、二者の枢着箇所に空間が生まれ、枢着箇所から離れた一方側が予め設けた平面上に接触し（図１０参照）、別の支持形態が形成される。
【００３２】
平板状表示装置６を支持部材１の第一端部１１上で全く逆方向となる軸回転をさせた後、支持部材１と固定体３１を連接体４と底盤５上にぴったり重ね合わせると、平板状表示装置６は予め設けた平面にフラット状態で接触し、モニターが上向きの（図１１参照）使用待ち状態となる。
【００３３】
図１２乃至図１５に示すとおり、本考案の第二実施例の構造は、前述した第一実施例を基礎として派生した構造であることが理解される。第二実施例は主に、結合部材７と、第一実施例と同様の構成要素である底盤５、連接体４、表示面調整体２、支持部材１を含み、結合部材７は、固定体７３、挟持制御部材７２、及び結合体７１により構成される。該結合体７１の中央には収納部２１に対応するくり抜き部７１１を設け、くり抜き部７１１内側周囲には間隔をあけて予め角度を設定した複数の定位凹部７１２を設け、各定位凹部７１２は嵌合制御定位部材２４を嵌入して定位させるのに用いる。また、結合体７１の周囲縁の向き合う側にはそれぞれ、同じ側に延伸する複数の第一定位部７１３（被嵌引掛体としてもよい）と、嵌合引掛体構造を備えた第二定位部７１４を設け、各第二定位部７１４を押して引き離すための突出プッシュ部７１５を別に設ける。
【００３４】
挟持制御部材７２の面積はくり抜き部７１１を超える大きさであり、表示面調整体２から離れた結合体７１の一方側に結合し、尚且つくり抜き部７１１に被覆することにより、第一枢着部材２２、弾性部品２３、嵌合制御定位部材２４を制限し緩みによる外側への抜け落ちを防ぎ、並びに、結合体７１を表示面調整体２に結合し、結合体７１に表示面調整体２と相対する軸回転運動を生じさせる。
【００３５】
固定体７３の一方側には平板状表示装置６（タブレットパソコンや携帯電話等）を納める収納空間７３１を設置し、収納空間７３１の周囲縁には平板状表示装置６を定位させるための挟持制御部７３２を突設し、尚且つ収納空間７３１の反対側の周囲縁には第一被定位部７３３（定位ガイド溝としてもよい）と、第二被定位部７３４（嵌合制御ガイド溝としてもよい）を設け、それぞれを結合体７１の第一定位部７１３と第二定位部７１４に対応させる。
【００３６】
組み立て時は、結合体７１の第一定位部７１３（被嵌引掛体）を固定体７３の第一被定位部７３３（定位ガイド溝）内に延伸させ、係合させる別の側の第二定位部７１４（嵌合引掛体）を第二被定位部７３４（嵌合制御ガイド溝）内に嵌入し、結合体７１と固定体７３に結合定位を形成させる（図１５参照）。また、突出プッシュ部７１５に力を加えると、それに連動する第二定位部７１４（嵌合引掛体）は第二被定位部７３４（嵌合制御ガイド溝）からはずれ、固定体７３と結合体７１を分離させ（図１４参照）、簡単に着脱できる構造が形成される。
【００３７】
上述の構造において、結合部材７自身の構造、及びそれと表示面調整体２の組立方式の他の底盤５、連接体４、支持部材１の構造、及び結合方式はいずれも前述した第一実施例と同様であるため、ここでは説明を省く。
【００３８】
前述をまとめると、本考案平板状表示装置の保護蓋スタンドは、キーボードを結合することができ、平板状表示装置を異なる傾斜及び方向転換角度に調整する効果を確実に達成するため、新規性及び進歩性を実際に備えた実用新案である。よってここに、特許法に依拠して実用新案の出願を行う。但し、上述の説明内容は、単に本考案の好ましい実施例を説明するためのものであり、本考案の技術手段及び実用新案登録請求の範囲より派生させた変化、修飾、修正或いは同等効果の置き換えは何れも、本考案の実用新案登録請求の範囲内に含まれるものとする。
【符号の説明】
【００３９】
1：支持部材
11：第一端部
111、121：軸孔
12：第二端部
122：突出押圧部
2：表示面調整体
21：収納部
211：貫通孔
212：ガイド路
213：定位部
22：第一枢着部材
221：枢着端部
23：弾性部品
24：嵌合制御定位部材
3：結合部材
31、73：固定体
311、731：収納空間
312：くり抜き部
313、732：挟持制御部
314、712：定位凹部
32、72：挟持制御部材
4：連接体
41：第二枢着部材
42：枢着凹部
5：底盤
51：第三枢着部材
52：キー
6：平板状表示装置
7：結合部材
71：結合体
711：くり抜き部
713：第一定位部
714：第二定位部
715：突出プッシュ部
733：第一被定位部
734：第二被定位部
【図１】
0003176105.tif 000003
【図２】
0003176105.tif 000004
【図３】
0003176105.tif 000005
【図４】
0003176105.tif 000006
【図５】
0003176105.tif 000007
【図６】
0003176105.tif 000008
【図７】
0003176105.tif 000009
【図８】
0003176105.tif 000010
【図９】
0003176105.tif 000011
【図１０】
0003176105.tif 000012
【図１１】
0003176105.tif 000013
【図１２】
0003176105.tif 000014
【図１３】
0003176105.tif 000015
【図１４】
0003176105.tif 000016
【図１５】
0003176105.tif 000017